(57)【特許請求の範囲】
【請求項１】
特定の色が規則的に配列された判別領域を有する印刷物と、前記判別領域内の少なくとも１色を隠蔽する隠蔽領域を有する判別具と、を用い、前記印刷物に前記判別具を重ね合わせるときと、前記印刷物の複写物に前記判別具を重ね合わせるときのモアレパターンの有無により、印刷物と複写物とを判別することを特徴とする複写物の判別方法。
【発明の詳細な説明】
【０００１】
【発明の属する技術分野】
本発明は、金券や定期券等の印刷物を複写機で複写した複写物の判別方法に関するものである。
【０００２】
【従来の技術】
従来、金券等を複写機で複写した偽造物を抑制するために、印刷物中に複写機の解像力を超えた大きさの網点で構成された領域を設けることにより、複写機で複写した場合、その部分が白抜けになり、パターンが浮かび上がってくることを利用して偽造物を見分けるコピー牽制方式が用いられていた。
【０００３】
【発明が解決しようとする課題】
しかしながら、近年、カラー複写機の技術進歩により、カラー複写機の解像度が更に増したため、複写機の解像力を越えた大きさの網点を用いる方式では、そのコピー牽制効果を十分あげることが困難となっている。
【０００４】
本発明は、このような問題に鑑みてなされたもので、その目的とするところは、オリジナルの印刷物と、その複写物とを簡単に識別することができる複写物の判別方法を提供することにある。
【０００５】
【課題を解決するための手段】
前述した目的を達成するために本発明は、特定の色が規則的に配列された判別領域を有する印刷物と、前記判別領域内の少なくとも１色を隠蔽する隠蔽領域を有する判別具と、を用い、前記印刷物に前記判別具を重ね合わせるときと、前記印刷物の複写物に前記判別具を重ね合わせるときのモアレパターンの有無により、印刷物と複写物とを判別することを特徴とする複写物の判別方法である。
【０００６】
【発明の実施の形態】
以下、図面に基づいて本発明の実施の形態を詳細に説明する。図１は、本発明の１実施の形態の概略説明図である。印刷物１上に判別具３を置くとモアレパターンが生ずる。また、印刷物１に代えて印刷物１の複写物上に判別具３を置くとモアレパターンが生じない。このように、モアレパターンの有無によりオリジナルの印刷物であるか、複写物であるかを判別する。
【０００７】
図２は、オリジナルの印刷物１の拡大図である。印刷物１としては、金券、定期券、馬券、船券、あるいはその他のシート類等がある。印刷物１には判別領域５が設けられる。図２において、６はドットを示し、７はシアン、９はマゼンタ、１１はイエローを示す。なお、色の種類はシアン、マゼンタ、イエローに限定されることはなくその他の色を用いてもよい。またドット６は網点を含む概念である。
【０００８】
判別領域５内においては、シアン７、マゼンタ９、イエロー１１のドットが夫々基準線Ｅに対して＋４５度の角度をなすように規則的に配置されている。判別領域５以外の領域では、シアン７、マゼンタ９、イエロー１１は印刷物上の模様等を形成するように配置されている。なお、図２においては便宜上、識別領域５以外の領域でもシアン７、マゼンタ９、イエロー１１は基準線に対して−４５度の角度をなすように配置されているが、実際には、このように規則的に配置される必要はない。但し、後述する判別具３の隠蔽領域１３を用いても、特定の色のみを隠蔽しないようにする。
なお、印刷物１を直接目で見ても判別領域５を認識することは困難である。これは、印刷物の色は網％で決まり、領域内外で網％は等しくなっているからである。さらに、このパターンに他のパターンを幻惑パターンとして印刷することによってより分かりにくくすることができる。
【０００９】
図３は、判別具３の拡大図である。判別具３はフィルム等からなり、透過領域１３と隠蔽領域１５とを有する。透過領域１３は光を透過し、隠蔽領域１５は印刷物１の判別領域５内の特定の色のパターンのみを隠蔽するように設けられる。図４は、印刷物１上に判別具３を載せた状態を示しており、判別領域５内のシアン７のみが隠蔽されている。したがって、判別領域５内ではカラーバランスが崩れ、判別領域５上にモアレパターンが生じる。
図４に示す場合、判別領域５において、Ｃ、Ｍ、Ｙ、夫々は同一の＋４５度の角度になるように規則的に配置されており、このようにすると、判別具３と印刷物１の角度を合わせるだけで、モアレを発生させることができる。またこの構成によると、判別具３をずらすことにより、多数色のモアレを発生させることになり、モアレパターンを顕示させやすくなる。
【００１０】
図５は、印刷物１を複写機で複写した複写物２１の拡大図である。図５において、２３は判別領域、２５はシアン、２７はマゼンタ、２９はイエローを示す。一般的に印刷と複写機では画像パターンを生成するための変調方式が異なるので、印刷物１を複写すれば、複写物２１のパターンは図５に示すようなものとなる
。
【００１１】
図６は、複写物２１に判別具３を載せた状態を示す。複写物２１に判別具３を載せても判別領域２３内のシアン、マゼンタ、イエローのうち特定の１色が隠蔽されることがないので、判別領域２３内に、モアレパターンも生じることはない。このように、本実施の形態によれば、判別具３を用いることにより、オリジナルの印刷物１と複写物２１とを簡単に判別することができる。また、高解像度の複写機により複写された複写物２１に対しても対処することができる。
【００１２】
なお、判別具３の隠蔽領域１５は図３の場合、正方形を多数配置するようにしたが、判別領域５内の特定の色を隠蔽できるものであればどのような形でもよい。たとえば、丸形を多数配置したり、帯状とすることもできる。
【００１３】
なお、図５の複写物２１は図２の印刷物を図２のＡ方向にスキャンしたものであるが、複写機で図２のＢ方向にスキャンした場合、判別具３を用いてオリジナルの印刷物１と複写物とを判別できないことがある。Ｂ方向は判別領域５内の各色が配置されている方向、すなわち、基準線Ｅに対して＋４５度の方向である。
【００１４】
このような場合、図７に示すように、印刷物３１に対して第１判別領域３５と第２判別領域３７とを設ける。第１判別領域３５では各色はＣ方向（＋４５度）に配置される。第２判別領域３７では各色はＤ方向（＋６０度）に配置される。したがって、印刷物３１をＣ方向にスキャンして複写物を作成しても、第２判別領域３７によりオリジナルの印刷物３１と複写物とを判別することができる。
なお、第１判別領域３５と第２判別領域３７の色の配列方向は互いに直交しないか、あるいは同一方向でなければ、いかなる方向でもよい。
【００１５】
また、前述した各実施の形態では、シアン、マゼンタ、イエローという３色を用いた例について説明したが、その他の色を用いてもよく、さらに２色刷り等の印刷物に対しても本発明を応用することができる。
【００１６】
【発明の効果】
以上、詳細に説明したように本発明によれば、オリジナルの印刷物と、その複写物とを簡単に識別することができる。
【図面の簡単な説明】
【図１】  本実施の形態の概略説明図
【図２】  印刷物１の拡大図
【図３】  判別具３の拡大図
【図４】  印刷物１に判別具３を載せた状態を示す図
【図５】  複写物２１の拡大図
【図６】  複写物２１に判別具３を載せた状態を示す図
【図７】  印刷物３１を示す図
【符号の説明】
１………印刷物
３………判別具
５………判別領域
２１………複写物
２３………判別領域
３１………印刷物
３５………第１判別領域
３７………第２判別領域
【図１】
0003683994.tif 000002
【図２】
0003683994.tif 000003
【図３】
0003683994.tif 000004
【図４】
0003683994.tif 000005
【図５】
0003683994.tif 000006
【図６】
0003683994.tif 000007
【図７】
0003683994.tif 000008